【手続補正書】
【提出日】平成18年8月31日(2006.8.31)
【手続補正１】
【補正対象書類名】明細書
【補正対象項目名】特許請求の範囲
【補正方法】変更
【補正の内容】
【特許請求の範囲】
【請求項１】  （イ）長く延びた多数の量子井戸赤外輻射吸収エレメントであって、各エレメントは第一と第二の対向する縦の表面を持ち、前記多数の量子井戸赤外輻射吸収エレメントは赤外輻射にたいする回折格子を備えている量子井戸赤外輻射吸収エレメントと、
（ロ）前記多数の量子井戸赤外輻射吸収エレメントの前記第一の縦の表面と接触していてそれに沿って延びている複数の平面状をした電気的に互いに接続されたストリップを持った第一のコンタクトと、
（ハ）前記多数の量子井戸赤外輻射吸収エレメントの前記第二の縦の表面と電気的に接続されている第二のコンタクトと、
（ニ）前記第二のコンタクトの前記多数の量子井戸赤外輻射吸収エレメントから反対側に位置している前記赤外輻射の平面状反射器と、
（ホ）前記縦の表面に塗布された反射率が２．５以下の光学空洞改善被覆と、
を備え、
これら第一のコンタクトと第二のコンタクトは、前記多数の量子井戸赤外輻射吸収エレメントの各々の対向している縦の面に位置しており、前記量子井戸赤外輻射吸収エレメントの軸を実質的に横切っている方向に、前記量子井戸赤外輻射吸収エレメントを通して電流を流すようになっている、量子井戸赤外輻射光検出器において、
前記赤外輻射が、前記回折格子を形成する多数の量子井戸赤外輻射吸収エレメント内に集中するように、前記光学空洞改善被覆の厚さを選ぶようにする量子井戸赤外輻射光検出器。
【請求項２】  前記第一のコンタクトストリップは同一面であり、前記第二のコンタクトは平面構造をしている、請求項１記載の量子井戸赤外輻射光検出器。
【請求項３】  前記光学空洞改善被覆は１．５以下の反射率を持ち、前記第二のコンタクトから延びており、前記表面に沿って、表面間の空間を完全に充填している、請求項２記載の量子井戸赤外輻射光検出器。
【請求項４】  前記第二のコンタクトは、前記量子井戸赤外輻射光検出器を通って延びている平面状部品および、前記多数の量子井戸赤外輻射吸収エレメントの各々に一体的に延びている複数の部品を有している、請求項１記載の量子井戸赤外輻射光検出器。
【請求項５】  前記第二のコンタクトは、前記多数の量子井戸赤外輻射吸収エレメントの前記第二の表面と接触するとともにそれに沿って延びている複数個の電気的に相互に接触しているストリップを有している、請求項１記載の量子井戸赤外輻射光検出器。
【請求項６】  前記多数の量子井戸赤外輻射吸収エレメントは互いに平行である請求項１記載の量子井戸赤外輻射光検出器。
【請求項７】  前記多数の量子井戸赤外輻射吸収エレメントは周期的に空間が開けられている請求項１記載の量子井戸赤外輻射光検出器。
【請求項８】  前記多数の量子井戸赤外輻射エレメントは線形構造をしている請求項１記載の量子井戸赤外輻射光検出器。
【請求項９】  （イ）複数の第一のコンタクトストリップと複数の第二のコンタクトストリップとを備えたアレイコンタクトであって、これ等のコンタクトストリップは電気的に相互に接続されていて、前記第一のコンタクトストリップは前記第二のコンタクトストリップから角度的に離れていて、前記アレイコンタクトはすべての検出器ピクセル構造を包含しているアレイコンタクトと、
（ロ）前記検出器ピクセル構造の各々に設けられている複数の第一の長く延びている多数の量子井戸赤外輻射吸収エレメントであって、これ等の各量子井戸赤外輻射吸収エレメントは第一と第二の対向する縦の表面を持っている第一の量子井戸赤外輻射吸収エレメントと、
（ハ）前記検出器ピクセル構造の各々に設けられている複数の第二の長く延びている多数の量子井戸赤外輻射吸収エレメントであって、これ等の各量子井戸赤外輻射吸収エレメントは、第一と第二の対向する縦の表面を持っている第二の量子井戸赤外輻射吸収エレメントと、
（ニ）前記検出器ピクセル構造の各々への第二のコンタクトであって、その第二のコンタクトは前記検出器ピクセル構造の対応するものにある前記第一と第二の多数の量子井戸赤外輻射吸収エレメントの前記第二の表面に電気的に接続されている第二のコンタクトと、
（ホ）前記検出器ピクセル構造の各々への平面状の赤外輻射反射器であって、前記第二のコンタクトの前記第一と第二の多数の量子井戸赤外輻射吸収エレメントから反対側に位置している赤外輻射反射器と、
（ヘ）前記複数の第一と第二の長く延びたエレメントの縦の表面に塗布されている２．５以下の反射率を持った光学空洞改善被覆と、
を備え、
前記第一の多数の量子井戸赤外輻射吸収エレメントと、前記第二の多数の量子井戸赤外輻射吸収エレメントとは、赤外輻射に対する回折格子を備え、
前記第一と第二の多数の量子井戸赤外輻射吸収エレメントの各々は、前記アレイコンタクトとその対向する縦の面に位置する前記第二のコンタクトを持っており、前記量子井戸赤外輻射吸収エレメントの軸を実質的に横切る方向に前記第一と第二の多数の量子井戸赤外輻射吸収エレメントを通って電流を流すようになっている、
複数の検出器ピクセル構造を持ち、赤外輻射を検出するための焦平面アレイにおいて、
前記赤外輻射が、前記回折格子を形成する多数の量子井戸赤外輻射吸収エレメント内に集中するように、前記光学空洞改善被覆の厚さを選ぶようにする焦平面アレイ。
【請求項１０】  前記アレイコンタクトの前記第一と第二のコンタクトストリップが同一面にある、請求項９記載の焦平面アレイ。
【請求項１１】  前記第二のコンタクトは平面状構造をしている、請求項９記載の焦平面アレイ。
【請求項１２】  前記第二のコンタクトは複数の電気的に相互に接続されているストリップを持ち、それは前記第一と第二の多数の量子井戸赤外輻射吸収エレメントの前記第二の表面に接触していて、それに沿って延びている、請求項９記載の焦平面アレイ。
【請求項１３】  前記平面状反射器は導電性があり、オーミック接触をしており、それは前記第二のコンタクトとオーミックに接続するとともに前記平面状反射器とオーミックに接続している、請求項９記載の焦平面アレイ。
【請求項１４】  前記第二のコンタクトは、前記ピクセル構造を通って延びている平面状部品と、前記多数の量子井戸赤外輻射吸収エレメントの各々についての複数の一体になって延びている部品とを有する、請求項９記載の焦平面アレイ。
【請求項１５】  前記第一のコンタクトストリップは互いに平行であり、前記第二のコンタクトストリップは互いに平行であり、前記被覆は１．５以下の反射率であり前記縦の表面に沿って前記第二のコンタクトストリップから延びていて第一と第二のエレメントの間の空間を完全に充填している、請求項９記載の焦平面アレイ。
【請求項１６】  前記第一の多数の量子井戸赤外輻射吸収エレメントは互いに平行であり、前記第二の多数の量子井戸赤外輻射吸収エレメントは互いに平行である、請求項９記載の焦平面アレイ。
【請求項１７】  前記多数の量子井戸赤外輻射吸収エレメントは周期的に空間が開けられている、請求項９記載の焦平面アレイ。
【請求項１８】  前記多数の量子井戸赤外輻射吸収エレメントの各々は線形構造をしている、請求項９記載の焦平面アレイ。
【請求項１９】  前記第一の多数の量子井戸赤外輻射吸収エレメントは、前記第二の多数の量子井戸赤外輻射吸収エレメントを横切っている、請求項９記載の焦平面アレイ。
【請求項２０】  （イ）複数のコンタクトストリップを有し、前記コンタクトストリップは電気的に相互に接続されていて、すべての検出器ピクセル構造を包含しているアレイコンタクトと、
（ロ）前記検出器ピクセル構造の各々に設けられている複数の長く延びている多数の量子井戸赤外輻射吸収エレメントであって、その赤外輻射にたいする回折格子を持っているとともに、第一と第二の対向する縦の表面を持っている量子井戸赤外輻射吸収エレメントと、
（ハ）前記検出器ピクセル構造の各々への第二のコンタクトであって、その第二のコンタクトは前記検出器ピクセル構造の対応するものにある前記多数の量子井戸赤外輻射吸収エレメントの前記第二の表面に電気的に接続されている第二のコンタクトと、
（ニ）前記検出器ピクセル構造の各々への平面状の赤外輻射反射器であって、前記第二のコンタクトの前記多数の量子井戸エレメントから反対側に位置している赤外輻射反射器と、
（ホ）前記縦の表面に塗布されている２．５以下の反射率を持った光学空洞改善被覆と、
を備え、
前記多数の量子井戸赤外輻射吸収エレメントの各々は前記アレイコンタクトとその対向する縦の面に位置する前記第二のコンタクトを持っており、エレメントの軸を実質的に横切る方向に前記多数の量子井戸赤外輻射吸収エレメントを通って電流を流すようになっている、
複数の検出器ピクセル構造を持った赤外輻射を検出するための焦平面アレイにおいて、
前記赤外輻射が、前記回折格子を形成する多数の量子井戸赤外輻射吸収エレメント内に集中するように、前記光学空洞改善被覆の厚さを選ぶようにする焦平面アレイ。
【請求項２１】  前記アレイコンタクトの前記コンタクトストリップは同じ平面にある、請求項２０記載の焦平面アレイ。
【請求項２２】  前記第二のコンタクトは平面状構造をしている、請求項２０記載の焦平面アレイ。
【請求項２３】  前記第二のコンタクトは複数の電気的に互いに接続されているストリップを持ち、それは前記多数の量子井戸赤外輻射吸収エレメントの前記第二の表面に接触していて、それに沿って延びている、請求項２０記載の焦平面アレイ。
【請求項２４】  前記平面状の赤外輻射反射器は導電性があり、オーミック接触をしていて、それは前記第二のコンタクトとオーミック接続をするとともに前記平面状の赤外輻射反射器とオーミックに接続している、請求項２０記載の焦平面アレイ。
【請求項２５】  前記第二のコンタクトは、前記ピクセル構造を通って延びている平面状部品と、前記多数の量子井戸赤外輻射吸収エレメントの各々についての複数の一体になって延びている部品とを有する、請求項２０記載の焦平面アレイ。
【請求項２６】  前記光学空洞改善被覆は１．５以下の反射率であり、前記エレメントの表面に沿って前記赤外輻射反射器から延びていて、前記赤外輻射反射器から前記第一のコンタクトまでの表面にある空間を完全に充填している、請求項２０記載の焦平面アレイ。
【請求項２７】  前記光学空洞改善被覆は前記第一のコンタクトの上に延びていて、アレイの上に平面状の表面を形成している、請求項２０記載の焦平面アレイ。
【請求項２８】  前記多数の量子井戸赤外輻射吸収エレメントは線形構造をしている、請求項２０記載の焦平面アレイ。
【請求項２９】  光学空洞改善被覆は層状に塗布されている、請求項１の量子井戸赤外輻射光検出器。
【請求項３０】  光学空洞改善被覆は層状に塗布されている、請求項９の焦平面アレイ。
【請求項３１】  光学空洞改善被覆は層状に塗布されている、請求項２０の焦平面アレイ。
【請求項３２】  前記光学空洞改善被覆は、ＳｉＯ2 、Ｓｉ3 Ｎ4 、ＺｎＳ及びポリイミドのグループから選ばれている、請求項１の量子井戸赤外輻射光検出器。
【請求項３３】  前記光学空洞改善被覆は、ＳｉＯ2 、Ｓｉ3 Ｎ4 、ＺｎＳ及びポリイミドのグループから選ばれている、請求項９の焦平面アレイ。
【請求項３４】  前記光学空洞改善被覆は、ＳｉＯ2 、Ｓｉ3 Ｎ4 、ＺｎＳ及びポリイミドのグループから選ばれている、請求項２０の焦平面アレイ。
【請求項３５】  前記光学空洞改善被覆は、前記第一のコンタクトストリップの上に延びていてそれを覆っている請求項３の量子井戸赤外輻射光検出器。
【請求項３６】  前記光学空洞改善被覆は、前記第一のコンタクトストリップの上に延びていてそれを覆っている請求項１５の焦平面アレイ。
【請求項３７】  前記光学空洞改善被覆は、前記第一のコンタクトストリップの上に延びていてそれを覆っている請求項２６の焦平面アレイ。
【請求項３８】  更に、光学空洞改善被覆に塗布されている反射防止被覆を有している請求項３の量子井戸赤外輻射光検出器。
【請求項３９】  更に、前記光学空洞改善被覆に塗布されている反射防止被覆を有している請求項１５の焦平面アレイ。
【請求項４０】  更に、前記光学空洞改善被覆に塗布されている反射防止被覆を有している請求項２６の焦平面アレイ。
【請求項４１】  （イ）長く延びた多数の量子井戸赤外輻射吸収エレメントであって、各エレメントは第一と第二の対向する縦の表面を持ち、前記多数の量子井戸赤外輻射吸収エレメントは赤外輻射にたいする回折格子を備えている量子井戸赤外輻射吸収エレメントと、
（ロ）前記多数の量子井戸赤外輻射吸収エレメントの前記第一の縦の表面と接触していてそれに沿って延びている複数の平面状をした電気的に互いに接続されたストリップを持った第一のコンタクトと、
（ハ）前記多数の量子井戸赤外輻射吸収エレメントの前記第二の縦の表面と電気的に接続されている第二のコンタクトと、
（ニ）前記第二のコンタクトの前記多数の量子井戸赤外輻射吸収エレメントから反対側に位置している前記赤外輻射の平面状反射器と、
（ホ）前記縦の表面に塗布された反射率が２．５以下の光学空洞改善被覆と、
を備え、
これら第一のコンタクトと第二のコンタクトは、前記多数の量子井戸赤外輻射吸収エレメントの各々の対向している縦の面に位置しており、前記量子井戸赤外輻射吸収エレメントの軸を実質的に横切っている方向に、前記量子井戸赤外輻射吸収エレメントを通して電流を流すようになっている、量子井戸赤外輻射光検出器において、
前記光学空洞改善被覆は１．５以下の反射率を持ち、前記第二のコンタクトから延びており、前記表面に沿って、表面間の空間を完全に充填している量子井戸赤外輻射光検出器。